(57)【要約】【課題】リクエスト曲の検索中に、その検索を中断して、他の操作をしても、その後に中断した検索を再開可能なカラオケ用リモコン装置の制御プログラム、カラオケ用リモコン装置及びカラオケ用リモコン装置の制御方法を提供する。【解決手段】リクエスト曲の検索により該当曲を検索し、決定した曲をカラオケ装置にリクエストするカラオケ用リモコン装置であって、検索の途中で、割り込みがあると、割り込みがあるまでに検索された検索結果を呼び出し可能に記憶し、割り込みの終了により、前記呼び出し可能に記憶した検索結果を読み出して表示する。【選択図】  図１
2004177440.tif 000002
【特許請求の範囲】
【請求項１】
カラオケ装置に用いられるカラオケ用リモコン装置の制御プログラムであって、
リクエスト曲の検索の開始指示を受け付けるステップと、
検索の開始指示により検索画面を表示するステップと、
検索条件の入力を受け付けるステップと、
検索条件に基づいて曲情報データベースから該当する曲の検索を行うステップと、
検索結果として前記検索条件に該当する曲を表示するステップと、
検索結果からリクエスト曲の決定指示を受け付けるステップと、
リクエスト曲の決定指示により、カラオケ装置にリクエスト信号を送信するステップと、
上記各ステップの途中で、割り込み指示を受け付けるステップと、
割り込み指示により該割り込み指示を受け付けるまでに検索した検索結果を呼び出し可能に記憶するステップと、
割り込みの終了指示を受け付けるステップと、
割り込みの終了指示により、前記呼び出し可能に記憶した検索結果を読み出して表示するステップと
よりなることを特徴とするカラオケ用リモコン装置の制御プログラム。
【請求項２】
カラオケ装置に用いられるカラオケ用リモコン装置であって、
リクエスト曲の検索操作を行うためのキー入力部と、
リクエスト曲を検索するための曲情報データベースと、
検索指示に基づいて、前記曲情報データベースから該当する曲を検索する検索処理部と、
前記検索結果を表示する表示部と、
リクエスト曲の決定指示に基づいて、カラオケ装置にリクエスト信号を送信する送信部と、
リクエスト曲の検索操作中に割り込みがあると、該割り込みがあるまでに検索された検索結果を呼び出し可能に記憶する記憶部と、
割り込みの終了指示があると、前記呼び出し可能に記憶した検索結果を読み出して表示する呼び出し表示部
を備えたことを特徴とするカラオケ用リモコン装置。
【請求項３】
カラオケ装置に用いられるカラオケ用リモコン装置の制御方法であって、
リクエスト曲の検索の開始指示を受け付ける手順と、
検索の開始指示により検索画面を表示する手順と、
検索条件を受け付ける手順と、
検索条件に基づいて曲情報データベースから該当する曲の検索を行う手順と、
検索結果として前記検索条件に該当する曲を表示する手順と、
検索結果からリクエスト曲の決定指示を受け付ける手順と、
リクエスト曲の決定指示により、カラオケ装置にリクエスト信号を送信手順と、
上記各手順の途中で、割り込み指示を受け付ける手順と、
割り込み指示により該割り込み指示を受け付けるまでに検索した検索結果を呼び出し可能に記憶する手順と、
割り込みの終了を受け付ける手順と、
割り込みの終了により、前記呼び出し可能に記憶した検索結果を読み出して表示する手順と
よりなることを特徴とするカラオケ用リモコン装置の制御方法。
【発明の詳細な説明】
【０００１】
【発明の属する技術分野】
この発明は、カラオケ用リモコン装置の制御プログラム、カラオケ用リモコン装置及びカラオケ用リモコン装置の制御方法に関する。
【０００２】
【従来の技術】
カラオケ装置に演奏曲のリクエスト予約を入力するためのカラオケ用リモコン装置があるが、従来のものは、入力された曲番号をカラオケ端末に送信するリクエスト予約機能を持っているのみで、リクエストに必要な曲番号は、ユーザが楽曲本をめくって希望する曲番号を見つけていた。
【０００３】
そこで、本願出願人は、リクエスト曲の検索機能を備え、検索した曲をリモコンでリクエスト予約できるカラオケ用リモコン装置を開発した。このような従来のカラオケ用リモコン装置によれば、ユーザは楽曲本をめくらなくても、歌いたい曲を見つけてリクエストを行うことができるようになる。
【０００４】
このような検索機能付きのカラオケ用リモコン装置は、ユーザに曲名，歌手名，ジャンルなどの検索条件を入力させたり、音量や音程や調子等を調節するためのリモコン操作をさせるためのキー入力部と、検索結果を表示するための比較的大きな表示部を必要とするが、そのためにカラオケ用リモコン装置が大型化しないように、使用頻度の比較的低いボタンは、ソフトウエアボタンとして表示部に表示して、表示部としてタッチ入力方式のパネルを載置した表示部を採用してリモコン装置の小型化を図っている。
【０００５】
【発明が解決しようとする課題】
リクエスト曲の決定には時間が掛かるもので、歌いたい曲の曲名の記憶があやふやだったり、自信のある曲が無かったりする場合は、リモコン装置を長い時間、独り占めして他の人が使えない場合がある。
【０００６】
このような場合でも、複数台のカラオケ用リモコン装置があればいいが、通常は、グループに１台か２台のリモコン装置を複数人で共通して使用するため、リクエストする曲をリモコン装置を使って検索中に、別の人がピッチ調整やリクエストするためにリモコン操作したくなった場合には、当該別の人にリクエスト予約が終わるまで、待ってもらうか、リクエスト予約を断念して、リモコン装置を当該別の誰かに渡さなければならなかった。
【０００７】
本発明は、このような事情に鑑みなされたものであり、カラオケ用リモコン装置でリクエスト曲の検索を中断して、別の人にリモコン装置を渡しても、リモコン装置を返してもらってから、中断した検索を再開することができるカラオケ用リモコン装置の制御プログラム、カラオケ用リモコン装置及びカラオケ用リモコン装置の制御方法を提供することを目的とする。
【０００８】
【課題を解決するための手段】
この発明は、上記目的を達成するため、カラオケ装置に用いられるカラオケ用リモコン装置の制御プログラムであって、リクエスト曲の検索の開始指示を受け付けるステップと、検索の開始指示により検索画面を表示するステップと、検索条件の入力を受け付けるステップと、検索条件に基づいて曲情報データベースから該当する曲の検索を行うステップと、検索結果として前記検索条件に該当する曲を表示するステップと、検索結果からリクエスト曲の決定指示を受け付けるステップと、リクエスト曲の決定指示により、カラオケ装置にリクエスト信号を送信するステップと、上記各ステップの途中で、割り込み指示（「リモコン」ボタンの押下）を受け付けるステップと、割り込み指示により該割り込み指示を受け付けるまでに検索した検索結果を呼び出し可能に記憶するステップと、割り込みの終了指示（「リモコン」ボタンの再押下）を受け付けるステップと、割り込みの終了指示により、前記呼び出し可能に記憶した検索結果を読み出して表示するステップとよりなることを特徴とするカラオケ用リモコン装置の制御プログラムである。
【０００９】
また、この発明は、上記目的を達成するため、カラオケ装置に用いられるカラオケ用リモコン装置であって、リクエスト曲の検索操作を行うためのキー入力部と、リクエスト曲を検索するための曲情報データベースと、検索指示に基づいて、前記曲情報データベースから該当する曲を検索する検索処理部と、前記検索結果を表示する表示部と、リクエスト曲の決定指示に基づいて、カラオケ装置にリクエスト信号を送信する送信部と、リクエスト曲の検索操作中に割り込みがあると、該割り込みがあるまでに検索された検索結果を呼び出し可能に記憶する記憶部と、割り込みの終了指示があると、前記呼び出し可能に記憶した検索結果を読み出して表示する呼び出し表示部を備えたことを特徴とするカラオケ用リモコン装置である。
【００１０】
また、この発明は、上記目的を達成するため、カラオケ装置に用いられるカラオケ用リモコン装置の制御方法であって、カラオケ装置に用いられるカラオケ用リモコン装置の制御方法であって、リクエスト曲の検索の開始指示を受け付ける手順と、検索の開始指示により検索画面を表示する手順と、検索条件を受け付ける手順と、検索条件に基づいて曲情報データベースから該当する曲の検索を行う手順と、検索結果として前記検索条件に該当する曲を表示する手順と、検索結果からリクエスト曲の決定指示を受け付ける手順と、リクエスト曲の決定指示により、カラオケ装置にリクエスト信号を送信手順と、上記各手順の途中で、割り込み指示を受け付ける手順と、割り込み指示により該割り込み指示を受け付けるまでに検索した検索結果を呼び出し可能に記憶する手順と、割り込みの終了を受け付ける手順と、割り込みの終了により、前記呼び出し可能に記憶した検索結果を読み出して表示する手順とよりなることを特徴とするカラオケ用リモコン装置の制御方法である。
【００１１】
【発明の実施の形態】
以下、この発明の実施の形態を図に基づいて説明する。
【００１２】
図１はこの発明の実施形態であるカラオケ用リモコン装置１００の外観図である。該リモコン装置１００の上面の操作面には各種操作ボタンが設けられており、「曲名」ボタン１１，「歌手／ジャンル」ボタン１２，「新譜／発売年」ボタン１３はそれぞれの検索カテゴリによる検索の操作開始を指示する検索ボタンであり、「曲名」ボタンは曲名での検索、「歌手／ジャンル」ボタンは１回押下すれば歌手名による検索、２回押下すればジャンルによる検索、「新譜／発売年」ボタンは１回押下すれば新譜検索、２回押下すれば発売年による検索を行うことができる。
【００１３】
また、「リモコン」ボタン１４は、表示部２２にソフトウエアボタンを表示するための操作ボタン、１５は曲名や歌手名などの検索キーワードを入力するための平仮名，アルファベットなどの文字入力ボタン、１６は「決定」ボタン、１７はカーソル移動ボタン、１８は「戻る」ボタン、１９は「ＯＮ／ＯＦＦ」ボタンである。
【００１４】
図２は、カラオケ用リモコン装置１００のブロック構成図である。図中、２１は前記操作ボタンのボタン押下を受け付けるＫｅｙＩ／Ｆ部、２２は検索結果を表示するＬＣＤ等の表示部であり、該表示部２２上にはタッチ入力用シートが敷設されている。
【００１５】
２３は検索処理やリモコン処理などの本発明のカラオケ用リモコン装置の制御プログラムを記憶すると共に検索用の曲情報データベース２３１（曲名、歌手名、ジャンル、新譜、発売年、唄い出し（歌詞）等）を記憶する記憶部、２４は前記記憶部のプログラムに基づいて各種処理・制御を実行する処理部、２５は電源部、２６はカラオケ装置１に曲のリクエスト予約を行ったり、カラオケ装置１の音量やピッチ調整をリモートコントロールするリモコン制御信号を送信するリモコン送信部、２７は検索の途中で「リモコン」ボタン１４が押下された際に検索結果を一時記憶する検索結果一時記憶部である。
【００１６】
次に、カラオケ用リモコン装置１００を利用して曲検索を行い、カラオケ装置１にリクエスト予約する処理の流れを、図３のフローチャートおよび図４の画面表示例を用いて説明する。
【００１７】
ユーザが検索を行うために、検索ボタンの中から「曲名」ボタン１１を押下すると（ステップ１、以下、ステップをＳと略記する、図面において同じ）、ＫｅｙＩ／Ｆ部２１は入力されたボタンを認識する（Ｓ２）。
【００１８】
この場合「曲名」ボタンであるので、表示部２２には、図４Ｂの曲名検索画面が表示される（Ｓ３）。
【００１９】
曲名検索画面（図４Ｂ）の曲名［    ］欄は、曲名検索の検索キーワードの入力欄であり、ここに文字入力ボタン１５を用いて平仮名入力「あ」が入力されると（Ｓ４）、上記ＫｅｙＩ／Ｆ部２１により入力されたボタンの認識が行われ（Ｓ５）、検索条件が検索カテゴリ「曲名」及び検索キーワード「あ」であるため、曲情報データベース２３１の曲名データについて検索キーワード「あ」による前方一致検索が実行される（Ｓ６）（図４Ｃ参照）。
【００２０】
検索結果は、曲名「あ」と前方一致する曲名を１曲１行で表示部２２に表示する（Ｓ７）。ユーザはカーソル移動ボタン１７を操作することで、カーソルｃを所望の曲名の位置（「あぁ」）に移動することができる（Ｓ８，９，１０）。
【００２１】
カーソルｃが所望の位置に移動された後、「決定」ボタン１６が押下されると（Ｓ１１，１２）、曲名「あぁ」の詳細情報が表示される（図４Ｄ参照）（Ｓ１３）。この詳細表示画面には、曲名「あぁ」の曲番、タイトル、歌手名、唄い出し情報が表示される。ユーザがこの曲のリクエスト予約を希望する場合には、「決定」ボタンを再度押下する（Ｓ１４，１５）。これにより曲番情報（リモコン制御信号）が、カラオケ用リモコン装置１００からカラオケ装置１へ送信されて（Ｓ１６）、リクエスト予約が完了する。
【００２２】
このような検索の途中で、他のユーザがカラオケ装置をリモコン操作（演奏スピード変更、ガイドモード変更、音量変更、キー変更など）したくなった場合、予備のリモコン装置が無い場合、検索中のユーザから使用中のリモコン装置１００を貸してもらわなくならないが、このような場合にリモコン装置１００を使用中のユーザが、検索を中断してリモコン装置１００を他のユーザに貸し渡し、リモコン装置１００を返して貰ってから中断した検索を再開するまでの流れを以下に説明する。
【００２３】
例えば、図４において、ユーザが検索カテゴリ「曲名」及び検索キーワード「あ」で検索を行った図４Ｃの時点で、他のユーザからリモコン装置１００を使わせてほしいと、申し込まれて、リモコン装置１００を他のユーザに貸し渡した場合、当該他のユーザはリモコン操作を行うためにリモコン装置１００の「リモコン」ボタン１４を押下する。ＫｅｙＩ／Ｆ部２１が「リモコン」ボタンの押下を検出すると（割り込み検出）（Ｓ９）、処理部２４は現在検索中の検索条件（検索カテゴリ「曲名」検索、検索キーワード「あ」など）を検索結果一時記憶部２７に記憶し（Ｓ２０）、且つ、表示部２２に図４Ｆに示したようなソフトウエアボタンを表示する（Ｓ２１）。
【００２４】
この状態で、ソフトウエアボタン（例えば、「スピード＋」ボタン）を操作することで（Ｓ２２，２３）、カラオケ装置１をリモコン操作することができる（Ｓ２４）。上記他のユーザがリモコン操作を終了して、リモコン装置１００を元のユーザに返す場合は、「リモコン」ボタンを再度押下する（Ｓ２２）。ソフトウエアボタンが表示された状態で「リモコン」ボタンが押下されたことをＫｅｙＩ／Ｆ部２１が検出すると（Ｓ２３）、処理部２４は検索結果一時記憶部２７に記憶した検索条件を呼び出し（Ｓ２５）、表示部２２上に表示する（Ｓ２５）。
【００２５】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【００２６】
【発明の効果】
以上説明したように、この発明によれば、検索を中断して、カラオケ装置のリモコン操作画面に移っても、切替え前の検索操作画面に戻ることができることにより、曲検索とカラオケ装置のリモコン操作が１台のリモコン装置で容易に行えるカラオケ用リモコン装置の制御プログラム、カラオケ用リモコン装置及びカラオケ用リモコン装置の制御方法を実現することができる。
【図面の簡単な説明】
【図１】この発明の実施の形態であるカラオケ用リモコン装置の外観図である。
【図２】この発明の実施の形態にかかるカラオケ用リモコン装置のブロック構成を示す説明図である。
【図３】この発明の実施の形態にかかるカラオケ用リモコン装置の動作フォローチャートである。
【図４】この発明の実施の形態にかかるカラオケ用リモコン装置の操作画面の流れを示す説明図である。
１００    カラオケ用リモコン装置
１１      「曲名」ボタン
１２      「歌手／ジャンル」ボタン
１３      「新譜／発売年」ボタン
１４      「リモコン」ボタン
１５      文字入力ボタン
１６      「決定」ボタン
１７      カーソル移動ボタン
１８      「戻る」ボタン
１９      「ＯＮ／ＯＦＦ」ボタン
２１      Ｋｅｙ  Ｉ／Ｆ部
２２      表示部
２３      記憶部
２３１    曲情報データベース
２４      処理部
２５      電源部
２６      リモコン送信部
２７      検索結果一時記憶部
１        カラオケ装置
【図１】
2004177440.tif 000003
【図２】
2004177440.tif 000004
【図３】
2004177440.tif 000005
【図４】
2004177440.tif 000006